(57)【特許請求の範囲】
【請求項１】
脛骨側インプラントを備えた人工膝関節インプラントであって、
前記脛骨側インプラントには、
大腿骨側インプラントが摺動する摺動面と、
脛骨へ設置される設置面と、
前記摺動面と前記設置面との間に設けられ、前記脛骨側インプラントが人体に設置された状態における前記人体の左右方向の両側において前記人体の前後方向に沿って延びる側面と、
前記脛骨側インプラントが前記人体に設置された状態における前記摺動面の外周縁部の後端部から、該摺動面に対して後側に向かって斜め下方に延びる後方側傾斜面と、
前記摺動面及び前記側面に対して傾くように、前記脛骨側インプラントが前記人体に設置された状態における前記前後方向の後側に設けられ、前記摺動面の前記外周縁部における前記前後方向の後側の部分から、前記摺動面の前記外周縁部から下方、且つ前記左右方向の少なくとも内側側、に向かって延びる側方側傾斜面と、
が形成されていることを特徴とする、人工膝関節インプラント。
【請求項２】
請求項１に記載の人工膝関節インプラントにおいて、
前記後方側傾斜面及び前記側方側傾斜面は、前記設置面に対する角度が互いに異なる平坦面であることを特徴とする、人工膝関節インプラント。
【請求項３】
請求項１に記載の人工膝関節インプラントにおいて、
前記側方側傾斜面は、前記後方側傾斜面から前記側面に向かって湾曲して延びる曲面を有していることを特徴とする、人工膝関節インプラント。
【請求項４】
請求項１又は請求項３に記載の人工膝関節インプラントにおいて、
前記後方側傾斜面及び前記側方側傾斜面は、該後方側傾斜面と該側方側傾斜面との間に稜線が形成されないように形成されていることを特徴とする、人工膝関節インプラント。
【請求項５】
請求項１から請求項４のいずれか１項に記載の人工膝関節インプラントにおいて、
前記側方側傾斜面は、前記左右方向の両側に設けられていることを特徴とする、人工膝関節インプラント。
【発明の詳細な説明】
【技術分野】
【０００１】
本発明は、脛骨側インプラントを備えた人工膝関節インプラントに関する。
【背景技術】
【０００２】
従来から知られている人工膝関節インプラントとして、例えば特許文献１に開示されるものが挙げられる。この人工膝関節インプラントでは、大腿骨コンポーネント（大腿骨側インプラント）が摺動する脛骨プレート（脛骨側インプラント）の摺動面の後端部に、面取りされた部分として設けられた後端摺動面（後方側傾斜面）が形成されている。これにより、膝関節の屈曲時において、大腿骨後顆部が脛骨側インプラントの摺動面の後端部と干渉してしまうことを回避できるため、膝関節の生理的な動作を許容することができる。
【先行技術文献】
【特許文献】
【０００３】
【特許文献１】特開２０１０−１８８０５１号公報
【発明の概要】
【発明が解決しようとする課題】
【０００４】
正常な膝関節では、伸展-屈曲動作に伴い脛骨が、大腿骨に対して内旋することが確認されている。人工膝関節インプラントは、この生理的な動作を許容するデザインであることが望ましい。上述のように脛骨側インプラントに後方側傾斜面を形成した場合であっても、膝関節の生理的な動作が許容されないことがある。
【０００５】
本発明は、上記課題を解決するためのものであり、その目的は、人工膝関節インプラント設置時の膝関節が生理的な動作を行うことを許容させることである。
【課題を解決するための手段】
【０００６】
（１）上記目的を達成するための本発明のある局面に係る人工膝関節インプラントは、脛骨側インプラントを備えた人工膝関節インプラントであって、前記脛骨側インプラントには、大腿骨側インプラントが摺動する摺動面と、脛骨へ設置される設置面と、前記摺動面と前記設置面との間に設けられ、前記脛骨側インプラントが人体に設置された状態における前記人体の左右方向の両側において前記人体の前後方向に沿って延びる側面と、前記脛骨側インプラントが前記人体に設置された状態における前記摺動面の外周縁部の後端部から、該摺動面に対して後側に向かって斜め下方に延びる後方側傾斜面と、前記摺動面及び前記側面に対して傾くように、前記脛骨側インプラントが前記人体に設置された状態における前記前後方向の後側に設けられ、前記摺動面の前記外周縁部から下方、且つ前記左右方向の少なくとも一方側、に向かって延びる側方側傾斜面と、が形成されている。なお、本明細書においては、傾斜面をチャンファー面と記す場合がある。
【０００７】
この構成では、設置面が脛骨へ設置された状態の脛骨側インプラントの摺動面に対して、大腿骨側インプラントが摺動する。そして、この構成によれば、後方側傾斜面が形成されているため、人工膝関節が伸展状態から屈曲状態へ移行する際に、大腿骨後顆部が、脛骨側インプラントの摺動面の外周縁部の後端部と干渉することを回避できる。
【０００８】
更に、この構成は、人工膝関節の屈伸時における当該膝関節の回旋運動にも対応している。具体的には、膝関節が伸展状態から屈曲状態へ移行する際、脛骨が大腿骨に対して内側方向に回旋する。このとき、この構成によれば、側方側傾斜面が形成されているため、伸展状態から屈曲状態へ移行する場合の大腿骨遠位端の回旋時に、大腿骨後顆部が、脛骨側インプラントの摺動面の外周縁部における内側側の部分と干渉することを回避できる。
【０００９】
従って、この構成では、人工膝関節インプラント設置時の膝関節が生理的な動作を行うことを許容させることができる。
【００１０】
（２）好ましくは、前記後方側傾斜面及び前記側方側傾斜面は、前記設置面に対する角度が互いに異なる平坦面である。この構成では、後方側傾斜面及び側方側傾斜面を、比較的平易な形状である平坦面で構成することができる。
【００１１】
（３）好ましくは、前記側方側傾斜面は、前記後方側傾斜面から前記側面に向かって湾曲して延びる曲面を有している。この構成によると、側方側傾斜面を、滑らかな曲面状に形成することができる。
【００１２】
（４）好ましくは、前記後方側傾斜面及び前記側方側傾斜面は、該後方側傾斜面と該側方側傾斜面との間に稜線が形成されないように形成されている。
【００１３】
この構成では、後方側傾斜面と側方側傾斜面との間に稜線が存在せず、両者が滑らかに繋がっている。こうすると、例えば後方側傾斜面と側方側傾斜面との間に稜線が存在する場合と比べて、当該稜線付近の部分に応力が集中すること等に起因して当該部分が破損するリスクを軽減することができる。
【００１４】
（５）好ましくは、前記側方側傾斜面は、前記左右方向の両側に設けられている。
【００１５】
人工膝関節インプラントを右膝に適用する場合と左膝に適用する場合とでは、膝関節屈曲時における大腿骨遠位端の回旋方向（右回り方向又は左回り方向）が異なる。これに対して、この構成によれば、側方側傾斜面が左右方向の両側に設けられているため、右膝及び左膝の双方に適用できる人工膝関節インプラントを提供できる。
【発明の効果】
【００１６】
本発明によると、人工膝関節インプラント設置時の膝関節が生理的な動作を行うことを許容させることができる。
【図面の簡単な説明】
【００１７】
【図１】本発明の実施形態に係る人工膝関節インプラントの脛骨側インプラントの斜視図であって、（Ａ）は後方側から視た図、（Ｂ）は前方側から視た図、である。
【図２】図１に示す脛骨側インプラントの平面図である。
【図３】図１に示す脛骨側インプラントの図であって、（Ａ）は側面図、（Ｂ）は正面図、である。
【図４】本発明の実施形態に係る人工膝関節インプラントを上方から視た図であって、屈曲状態のときの人工膝関節インプラントを示す図である。
【図５】図４に示す人工膝関節インプラントを矢印Ｖ方向から視た図である。
【図６】図５の一部の拡大図である。
【図７】変形例に係る人工膝関節インプラントの脛骨側インプラントの斜視図であって、（Ａ）は後方側から視た図、（Ｂ）は前方側から視た図、である。
【図８】図７に示す脛骨側インプラントの平面図である。
【図９】図７に示す脛骨側インプラントの図であって、（Ａ）は側面図、（Ｂ）は正面図、である。
【図１０】変形例に係る人工膝関節インプラントの脛骨側インプラントを示す図であって、（Ａ）は斜視図、（Ｂ）は側面図、である。
【図１１】変形例に係る人工膝関節インプラントの脛骨側インプラントを示す図であって、（Ａ）は斜視図、（Ｂ）は側面図、である。
【発明を実施するための形態】
【００１８】
以下、本発明を実施するための形態について図面を参照しつつ説明する。本発明は、大腿骨側インプラント及び脛骨側インプラントを備えた人工膝関節インプラントに広く適用できる。
【００１９】
図１は、本発明の実施形態に係る人工膝関節インプラント１の脛骨側インプラント１０の斜視図であって、（Ａ）は後方側から視た図、（Ｂ）は前方側から視た図、である。また、図２は、図１に示す脛骨側インプラント１０の平面図である。また、図３は、図１に示す脛骨側インプラント１０の図であって、（Ａ）は側面図、（Ｂ）は正面図、である。人工膝関節インプラント１は、患者の膝関節を人工膝関節へ置換する手術において用いられ、例えば、変形性膝関節症や慢性関節リウマチ等により膝関節が高度に変形した患者に対して、膝を正常な機能に回復させるために用いられる。本実施形態では、いわゆるＰＳ（Posterior Stabilizing）型の人工膝関節インプラントを例に挙げて説明する。
【００２０】
なお、以下で説明する各図では、説明の便宜上、上と記載された矢印が指示する方向を上側又は上方、下と記載された矢印が指示する方向を下側又は下方、前と記載された矢印が指示する方向を前側又は前方、後と記載された矢印が指示する方向を後側又は後方、右と記載された矢印が指示する方向を右側、左と記載された矢印が指示する方向を左側、と称する。また、各図における上方は人体における近位側であり、各図における下方は、人体における遠位側であり、各図における前側が人体の前側であり、各図における後側が人体の後側である。
【００２１】
脛骨側インプラント１０は、脛骨近位端に固定されるインプラントであって、脛骨近位端に取り付けられた状態において、大腿骨遠位端に固定される大腿骨側インプラントの摺動対象となるインプラントである。脛骨側インプラント１０は、図１及び図２に示すように、プレート部１１及びポスト２８を有し、これらが一体に形成されている。
【００２２】
ポスト２８は、プレート部１１から上方へ突出して設けられている。本実施形態に係る人工膝関節インプラント１は、膝の屈曲角度が所定の角度以上のときに、ポスト２８が、大腿骨側インプラントのカム（図示省略）と接触することにより、膝の屈曲運動を案内するように構成されている。
【００２３】
プレート部１１は、所定の厚みを有するプレート状に形成され、上方から視た形状が左右方向に長い略楕円形状である。プレート部１１の後方における左右方向中央部分には、前方へ向かって凹む凹部１１ａが形成されている。
【００２４】
また、プレート部１１には、設置面１２と、摺動面１３Ｒ，１３Ｌと、外周面１４とが形成されている。
【００２５】
設置面１２は、プレート部１１の下面に形成された平坦状の面である。設置面１２は、脛骨近位端に設置されて固定される。
【００２６】
摺動面１３Ｒ，１３Ｌは、プレート部１１の上面における左右両側の部分に形成された面である。摺動面１３Ｒはプレート部１１の右側に形成され、摺動面１３Ｌはプレート部１１の左側に形成されている。各摺動面１３Ｒ，１３Ｌは、下方へ向かって凹む凹状に形成されている。これにより、大腿骨遠位端に対して固定された状態で下方へ向かって膨出する大腿骨側インプラントが、摺動面１３Ｒ，１３Ｌに対してスムーズに摺動する。
【００２７】
外周面１４は、設置面１２と摺動面１３Ｒ，１３Ｌとの間を上下方向に沿って延びる壁面であって、上方から視て環状に形成されている。外周面１４における前方側の部分は、前面１５として設けられ、外周面１４における左右両側の部分は、それぞれ、側面１６Ｒ，１６Ｌ（右側面１６Ｒ、左側面１６Ｌ）として設けられ、外周面における後方側の部分は、後面１７として設けられている。
【００２８】
また、プレート部１１には、該プレート部１１における後方右側の部分から右側面１６Ｒ側へ向かって延びる右側チャンファー面２０Ｒと、該プレート部１１における後方左側の部分から左側面１６Ｌ側へ向かって延びる左側チャンファー面２０Ｌと、が形成されている。
【００２９】
右側チャンファー面２０Ｒは、後方側チャンファー面１８Ｒ及び側方側チャンファー面１９Ｒによって構成されている。
【００３０】
後方側チャンファー面１８Ｒは、右側チャンファー面２０Ｒのうちの後方側の部分であって、摺動面１３Ｒの外周縁部の後端部と、後面１７の上端部との間に形成されたチャンファー状の部分である。これにより、後方側チャンファー面１８Ｒは、摺動面１３Ｒの外周縁部の後端部から後面１７の上端部に向かって、斜め下方に延びるように形成される。
【００３１】
側方側チャンファー面１９Ｒは、右側チャンファー面２０Ｒのうちの右側方側の部分であって、摺動面１３Ｒの外周縁部における右側の部分と、右側面１６Ｒの上端部との間に形成されたチャンファー状の部分である。これにより、側方側チャンファー面１９Ｒは、摺動面１３Ｒの外周縁部における右側の部分から右側面１６Ｒの上端部に向かって、斜め下方に延びるように形成される。側方側チャンファー面１９Ｒは、摺動面１３Ｒ及び右側面１６Ｒの双方に対して傾いている。また、側方側チャンファー面１９Ｒは、後方側チャンファー面１８Ｒから右側面１６Ｒに向かって湾曲して延びる曲面状に形成されている。また、右側チャンファー面２０Ｒは、右側後方から右側方に向かって連続して滑らかに形成されている。これにより、後方側チャンファー面１８Ｒ及び側方側チャンファー面１９Ｒの間には、稜線が形成されない。
【００３２】
左側チャンファー面２０Ｌは、後方側チャンファー面１８Ｌ及び側方側チャンファー面１９Ｌによって構成されている。
【００３３】
後方側チャンファー面１８Ｌは、左側チャンファー面２０Ｌのうちの後方側の部分であって、摺動面１３Ｌの外周縁部の後端部と、後面１７の上端部との間に形成されたチャンファー状の部分である。これにより、後方側チャンファー面１８Ｌは、摺動面１３Ｌの外周縁部の後端部から後面１７の上端部に向かって、斜め下方に延びるように形成される。
【００３４】
側方側チャンファー面１９Ｌは、左側チャンファー面２０Ｌのうちの左側方側の部分であって、摺動面１３Ｌの外周縁部における左側の部分と、左側面１６Ｌの上端部との間に形成されたチャンファー状の部分である。これにより、側方側チャンファー面１９Ｌは、摺動面１３Ｌの外周縁部における左側の部分から左側面１６Ｌの上端部に向かって、斜め下方に延びるように形成される。側方側チャンファー面１９Ｌは、摺動面１３Ｌ及び左側面１６Ｌの双方に対して傾いている。また、側方側チャンファー面１９Ｌは、後方側チャンファー面１８Ｌから左側面１６Ｌに向かって湾曲して延びる曲面状に形成されている。また、左側チャンファー面２０Ｌは、左側後方から左側方に向かって連続して滑らかに形成されている。これにより、後方側チャンファー面１８Ｌ及び側方側チャンファー面１９Ｌの間には、稜線が形成されない。
【００３５】
上述のように後方側チャンファー面１８Ｒ，１８Ｌが形成されることにより、各摺動面１３Ｒ，１３Ｌと後面１７との間の部分が面取りされたような形状となる。これにより、各摺動面１３Ｒ，１３Ｌと後面１７との間の部分に比較的角度の狭い凸部（例えば９０度程度）が形成されなくなる。
【００３６】
なお、各後方側チャンファー面１８Ｒ，１８Ｌと各摺動面１３Ｒ，１３Ｌとの間、及び、各後方側チャンファー面１８Ｒ，１８Ｌと後面１７との間には、各面をなだらかに繋ぐＲ部が形成されている。これにより、上述した各面の間が角状に形成されている場合と比べて、当該部分が破損するリスクを低減できる。
【００３７】
また、上述のように側方側チャンファー面１９Ｒ，１９Ｌが形成されることにより、各摺動面１３Ｒ，１３Ｌと側面１６Ｒ，１６Ｌとの間の部分が面取りされたような形状となる。これにより、各摺動面１３Ｒ，１３Ｌと側面１６Ｒ，１６Ｌとの間の部分に比較的角度の狭い凸部（例えば９０度程度）が形成されなくなる。
【００３８】
なお、各側方側チャンファー面１９Ｒ，１９Ｌと各摺動面１３Ｒ，１３Ｌとの間、及び、各側方側チャンファー面１９Ｒ，１９Ｌと各側面１６Ｒ，１６Ｌとの間には、各面をなだらかに繋ぐＲ部が形成されている。これにより、上述した各面の間が角状に形成されている場合と比べて、当該部分が破損するリスクを低減できる。
【００３９】
［人工膝関節インプラントの伸展状態から屈曲状態への動作］
図４は、本発明の実施形態に係る人工膝関節インプラント１を上方から視た図であって、屈曲状態のときの人工膝関節インプラント１を示す図である。また、図５は、図４に示す人工膝関節インプラントを矢印Ｖ方向から視た図である。また、図６は、図５の一部の拡大図である。なお、以下では、図４から図６では、人工膝関節インプラント１が左膝に適用されている例を図示している。
【００４０】
膝関節の場合と同様、人工膝関節インプラント１の一般的な動きとして、人工膝関節インプラント１が伸展状態から屈曲状態へ移動すると、大腿骨３０の遠位端３１における後方側の部分（大腿骨後顆部３２Ｒ，３２Ｌ）が、脛骨側インプラント１０の摺動面１３Ｒ，１３Ｌの後端部に近接する。そして、膝関節を更に大きく屈曲させると、従来では、大腿骨後顆部と脛骨側インプラントの摺動面の後端部とが干渉し、人工膝関節インプラント設置時の膝関節が生理的な動作を行うことが許容されない場合があった。
【００４１】
これに対して、本実施形態に係る人工膝関節インプラント１では、脛骨側インプラント１０の摺動面１３Ｒ，１３Ｌにおける後側の部分に後方側チャンファー面１８Ｒ，１８Ｌを設けている。すなわち、脛骨側インプラント１０のうち、膝関節を大きく屈曲させた場合に大腿骨後顆部と干渉しうる部分を面取りにより除去している。こうすると、大腿骨後顆部３２Ｒ，３２Ｌと脛骨側インプラント１０との干渉を避けることができるため、人工膝関節インプラント１設置時の膝関節が生理的な動作を行うことを許容させることができる。
【００４２】
更に、人工膝関節インプラント１の一般的な動きとして、人工膝関節インプラント１が伸展状態から屈曲状態へ移動する際、脛骨側インプラント１０は、大腿骨インプラント２に対して内側側へやや回旋する。そのため、内側側（本実施形態の場合、右側）の大腿骨後顆部３２Ｒが、脛骨側インプラント１０の摺動面１３Ｒの外周縁部における内側側の部分に近接する。そして、膝関節を更に大きく屈曲させると、従来の人工膝関節インプラントでは、大腿骨後顆部３２Ｒと脛骨側インプラントの摺動面の内側側の部分とが干渉し、人工膝関節インプラント設置時における膝関節の生理的な動作が許容されない場合があった。
【００４３】
これに対して、本実施形態に係る人工膝関節インプラント１では、脛骨側インプラント１０の摺動面１３Ｒにおける内側側の部分に、側方側チャンファー面１９Ｒを設けている。すなわち、脛骨側インプラント１０のうち、膝関節を大きく屈曲させた場合に大腿骨後顆部と干渉しうる部分を面取りにより除去している。こうすると、大腿骨後顆部３２Ｒと脛骨側インプラント１０との干渉を避けることができるため、人工膝関節インプラント１設置時の膝関節が生理的な動作を行うことを許容させることができる。
【００４４】
［効果］
以上のように、本実施形態に係る人工膝関節インプラント１では、設置面１２が脛骨へ設置された状態の脛骨側インプラント１０の摺動面１３Ｒ，１３Ｌに対して、大腿骨側インプラント２が摺動する。そして、この構成によれば、後方側チャンファー面１８Ｒ，１８Ｌが形成されているため、人工膝関節が伸展状態から屈曲状態へ移行する際に、大腿骨後顆部３２Ｒ，３２Ｌが、脛骨側インプラント１０の摺動面１３Ｒ，１３Ｌの外周縁部の後端部と干渉することを回避できる。
【００４５】
更に、人工膝関節インプラント１は、人工膝関節の屈曲時における当該膝関節の回旋運動にも対応している。具体的には、膝関節が伸展状態から屈曲状態へ移行する際、脛骨が大腿骨に対して、内側方向に回旋する。このとき、人工膝関節インプラント１によれば、側方側チャンファー面１９Ｒ，１９Ｌが形成されているため、伸展状態から屈曲状態へ移行する場合の回旋時に、大腿骨後顆部３２Ｒ，３２Ｌが、脛骨側インプラント１０の摺動面１３Ｒ，１３Ｌの外周縁部における内側側の部分と干渉することを回避できる。
【００４６】
従って、上述した構成によれば、人工膝関節インプラント１設置時の膝関節が生理的な動作を行うことを許容させることができる。
【００４７】
また、人工膝関節インプラント１によれば、側方側チャンファー面１９Ｒ，１９Ｌが、後方側チャンファー面１８Ｒ，１８Ｌから側面１６Ｒ，１６Ｌへ向かって湾曲して延びる曲面状に形成されている。これにより、側方側チャンファー面１９Ｒ，１９Ｌを、滑らかな曲面状に形成することができる。また、例えば一例として、切削加工により側方側チャンファー面１９Ｒ，１９Ｌを形成する場合、ワークに対する回転刃の回転軸を徐々に傾けていくことにより、比較的容易に上記曲面形状を得ることができる。
【００４８】
また、人工膝関節インプラント１によれば、後方側チャンファー面１８Ｒ，１８Ｌと側方側チャンファー面１９Ｒ，１９Ｌとの間に稜線が存在せず、両者が滑らかに繋がっている。こうすると、例えば後方側チャンファー面と側方側チャンファー面との間に稜線が存在する場合と比べて、当該稜線付近の部分に応力が集中すること等に起因して当該部分が破損するリスクを軽減することができる。また、例えば一例として、切削加工により後方側チャンファー面１８Ｒ，１８Ｌと側方側チャンファー面１９Ｒ，１９Ｌとを連続的に形成することができるため、比較的短時間で後方側チャンファー面１８Ｒ，１８Ｌ及び側方側チャンファー面１９Ｒ，１９Ｌの両方を形成することができる。
【００４９】
また、人工膝関節インプラント１によれば、側方側チャンファー面１９Ｒ，１９Ｌが、脛骨側インプラント１０の左右両側に形成されているため、右膝及び左膝の双方に適用できる人工膝関節インプラント１を提供できる。
【００５０】
以上、本発明の実施形態について説明したが、本発明は上述の実施の形態に限られるものではなく、特許請求の範囲に記載した限りにおいて様々な変更が可能である。例えば、次のように変更して実施してもよい。
【００５１】
［変形例］
（１）図７は、変形例に係る人工膝関節インプラントの脛骨側インプラント１０ａの斜視図であって、（Ａ）は後方側から視た図、（Ｂ）は前方側から視た図、である。また、図８は、図７に示す脛骨側インプラント１０ａの平面図である。また、図９は、図７に示す脛骨側インプラント１０ａの図であって、（Ａ）は側面図、（Ｂ）は正面図、である。本変形例の脛骨側インプラント１０ａは、上記実施形態に係る脛骨側インプラント１０と比べて、後方側チャンファー面及び側方側チャンファー面の形状が異なっている。以下では、上記実施形態と異なる部分について主に説明し、その他の部分については説明を省略する。
【００５２】
本変形例の後方側チャンファー面２１Ｒ，２１Ｌは、上記実施形態の後方側チャンファー面１８Ｒ，１８Ｌと異なり、平坦状に形成されている。
【００５３】
後方側チャンファー面２１Ｒ，２１Ｌは、各摺動面１３Ｒ，１３Ｌに対応して形成されている。右側の後方側チャンファー面２１Ｒは、摺動面１３Ｒの外周縁部の後端部と、後面１７の上端部との間に形成されたチャンファー状の部分である。これにより、後方側チャンファー面２１Ｒは、摺動面１３Ｒの外周縁部の後端部から後面１７の上端部に向かって、斜め下方に延びるように形成される。
【００５４】
同様に、左側の後方側チャンファー面２１Ｌは、摺動面１３Ｌの外周縁部の後端部と、後面１７の上端部との間に形成されたチャンファー状の部分である。これにより、後方側チャンファー面２１Ｌは、摺動面１３Ｌの外周縁部の後端部から後面１７の上端部に向かって、斜め下方に延びるように形成される。
【００５５】
また、本変形例の側方側チャンファー面２２Ｒ，２２Ｌは、本変形例の後方側チャンファー面２１Ｒ，２１Ｌの場合と同様、平坦状に形成されている。側方側チャンファー面２２Ｒは、上記実施形態の場合と同様、摺動面１３Ｒの外周縁部における右側の部分と、右側面１６Ｒの上端部との間に形成されたチャンファー状の部分である。これにより、側方側チャンファー面２２Ｒは、摺動面１３Ｒの外周縁部における右側の部分から右側面１６Ｒの上端部に向かって、斜め下方に延びるように形成される。側方側チャンファー面２２Ｒは、摺動面１３Ｒ及び右側面１６Ｒの双方に対して傾いている。また、側方側チャンファー面２２Ｒと後方側チャンファー面２１Ｒとの間には、Ｒ状に形成された部分であるＲ部２３Ｒが形成されている。これにより、側方側チャンファー面２２Ｒと後方側チャンファー面２１Ｒとがなだらかに繋がっている。また、側方側チャンファー面２２Ｒの設置面１２に対する角度は、後方側チャンファー面２１Ｒの設置面１２に対する角度と異なっている。
【００５６】
側方側チャンファー面２２Ｌは、上記実施形態の場合と同様、摺動面１３Ｌの外周縁部における左側の部分と、左側面１６Ｌの上端部との間に形成されたチャンファー状の部分である。これにより、側方側チャンファー面２２Ｌは、摺動面１３Ｌの外周縁部における左側の部分から左側面１６Ｌの上端部に向かって、斜め下方に延びるように形成される。側方側チャンファー面２２Ｌは、摺動面１３Ｌ及び左側面１６Ｌの双方に対して傾いている。また、側方側チャンファー面２２Ｌと後方側チャンファー面２１Ｌとの間には、Ｒ状に形成された部分であるＲ部２３Ｌが形成されている。これにより、側方側チャンファー面２２Ｌと後方側チャンファー面２１Ｌとがなだらかに繋がっている。また、側方側チャンファー面２２Ｌの設置面１２に対する角度は、後方側チャンファー面２１Ｌの設置面１２に対する角度と異なっている。
【００５７】
以上、本変形例に係る人工膝関節インプラントの脛骨側インプラント１０ａの側方側チャンファー面２２Ｒ，２２Ｌのような形状であっても、上記実施形態の場合と同様、大腿骨後顆部と脛骨側インプラントとの干渉を避けることができる。これにより、上記実施形態の場合と同様、人工膝関節インプラント設置時の膝関節が生理的な動作を行うことを許容させることができる。
【００５８】
また、本変形例に係る人工膝関節インプラントによれば、後方側チャンファー面２１Ｒ，２１Ｌ及び側方側チャンファー面２２Ｒ，２２Ｌを、比較的平易な形状である平坦面で構成することができる。
【００５９】
（２）上記実施形態では、後方側チャンファー面１８Ｒ，１８Ｌと側方側チャンファー面１９Ｒ，１９Ｌとの間に稜線が形成されていないが、この限りでなく、後方側チャンファー面１８Ｒ，１８Ｌと側方側チャンファー面１９Ｒ，１９Ｌとの間に稜線が形成されていてもよい。
【００６０】
（３）上記実施形態では、本発明の適用例として、ＰＳ型の人工膝関節を例に挙げて説明したが、これに限らず、その他のタイプの人工膝関節にも適用できる。具体的には、例えば図１０に示すように、ＣＲ（Cruciate Retaining）型の人工膝関節の脛骨側インプラント１０ｂに適用することもでき、更には、図１１に示すように、ＣＣＫ（Constrained Condylar Knee）型の人工膝関節の脛骨側インプラント１０ｃに適用することもできる。
【産業上の利用可能性】
【００６１】
本発明は、人工膝関節インプラントに広く適用できる。
【符号の説明】
【００６２】
１                                  人工膝関節インプラント
２                                  大腿骨側インプラント
１０，１０ａ，１０ｂ，１０ｃ        脛骨側インプラント
１２                                設置面
１３Ｒ，１３Ｌ                      摺動面
１６Ｒ，１６Ｌ                      側面
１８Ｒ，１８Ｌ，２１Ｒ，２１Ｌ      後方側チャンファー面（後方側傾斜面）
１９Ｒ，１９Ｌ，２２Ｒ，２２Ｌ      側方側チャンファー面（側方側傾斜面）
【図１】
0006557459.tif 000002
【図２】
0006557459.tif 000003
【図３】
0006557459.tif 000004
【図４】
0006557459.tif 000005
【図５】
0006557459.tif 000006
【図６】
0006557459.tif 000007
【図７】
0006557459.tif 000008
【図８】
0006557459.tif 000009
【図９】
0006557459.tif 000010
【図１０】
0006557459.tif 000011
【図１１】
0006557459.tif 000012